(57)【要約】【課題】使用者が電源投入後などに番組を検索（選局）する際、素早いザッピング処理が行えるデジタル放送受信装置を提供する。【解決手段】受信チャンネルの映像信号から少なくとも１フレームの映像信号を格納する映像信号メモリ部３２と、映像信号メモリ３２への映像信号の書き込みおよび読み出しを制御するメモリ制御部３１と、受信チャンネルの映像信号と映像信号メモリ部３２から読み出された映像信号を切り替えて出力する映像信号切替部３３と、デジタル放送番組の受信が使用者に選択されていない場合に受信チャンネル毎の映像信号を映像信号メモリ部３２に格納し、デジタル放送番組の受信が使用者に選択された場合に映像信号メモリ部３２に格納された映像信号を読み出して番組を使用者に選択させる受信装置制御部２０を有する。【選択図】　　　　図１
2004128942.tif 000002
【特許請求の範囲】
【請求項１】
設定された受信チャンネルの復号された映像信号から少なくとも１フレームの映像信号を格納する映像信号メモリ部と、
該映像信号メモリへの映像信号の書き込みおよび読み出しを制御するメモリ制御部と、
前記設定された受信チャンネルの復号された映像信号と、前記映像信号メモリ部から読み出された映像信号を切り替えて出力する映像信号切替部と、
デジタル放送番組の受信が使用者に選択されていない場合に、受信チャンネルを順次設定して、前記メモリ制御部を用いて前記受信チャンネル毎に前記映像信号を映像信号メモリ部に格納し、デジタル放送番組の受信が使用者に選択された場合に、前記メモリ制御部を用いて映像信号メモリ部に格納された前記映像信号を順次読み出して表示させることによりデジタル放送番組を使用者に選択させる受信装置制御部と
を有することを特徴とするデジタル放送受信装置。
【請求項２】
前記受信装置制御部は、前記デジタル放送番組の受信が使用者に選択されていない場合に、少なくとも１つの伝送チャンネル中の複数の受信チャンネルから所定の受信チャンネルを設定し、設定された受信チャンネルの映像信号を映像信号メモリ部に格納したら、順次次の受信チャンネルを設定する処理を繰り返す
ことを特徴とする請求項１に記載のデジタル放送受信装置。
【請求項３】
前記受信装置制御部は、前記デジタル放送番組の受信が使用者に選択されていない場合に、複数の伝送チャンネル中の複数の受信チャンネルから順次受信チャンネルを設定し、１つの伝送チャンネル中の複数の受信チャンネルの映像信号が全て映像信号メモリ部に格納されたら、順次次の伝送チャンネルを設定する処理を繰り返す
ことを特徴とする請求項２に記載のデジタル放送受信装置。
【請求項４】
前記次の伝送チャンネルを設定する処理のため、次の受信チャンネルを設定する処理を繰り返す限定期間を計時するタイマを備える
ことを特徴とする請求項３に記載のデジタル放送受信装置。
【請求項５】
前記メモリ制御部、前記受信装置制御部、および、前記映像信号切替部は、映像信号メモリ部に格納された映像信号を読み出す際に、所定数分の各映像信号の表示寸法を縮小してから１画面内に配置されるように合成し、複数の映像信号が表示されるマルチ画面の映像信号を生成して出力する
ことを特徴とする請求項１〜４の何れかに記載のデジタル放送受信装置。
【請求項６】
複数方式の放送受信回路を有する場合、
前記映像信号メモリ部、前記メモリ制御部、前記映像信号切替部、および、前記受信装置制御部が、少なくとも１つのデジタル放送方式の放送受信回路内に設けられ、
前記受信装置制御部は、自放送方式以外の放送番組が使用者に選択された場合に、自放送方式の受信チャンネル毎に前記映像信号を映像信号メモリ部に格納する
ことを特徴とする請求項１〜５の何れかに記載のデジタル放送受信装置。
【請求項７】
デジタル放送の復号された映像信号から少なくとも１フレームの映像信号を映像信号メモリ部に格納し、復号された映像信号と前記映像信号メモリ部から読み出された映像信号を切り替えて出力できるデジタル放送受信装置の受信方法であって、
（Ａ）デジタル放送の受信が選択されていない場合に、伝送チャンネル中の複数の受信チャンネルの映像信号を復号し、各受信チャンネルの少なくとも１フレームの映像信号を映像信号メモリ部に格納するステップと、
（Ｂ）ステップ（Ａ）の処理後、デジタル放送の受信が選択されて伝送チャンネルから受信チャンネルを検索する場合、前記映像信号メモリ部から読み出した映像信号を出力して検索するステップ
を有することを特徴とするデジタル放送受信装置の受信方法。
【請求項８】
前記ステップ（Ａ）は、さらに、
（Ａ１）デジタル放送の受信が選択されていない場合に、伝送チャンネルを初期設定値にリセットするステップと
（Ａ２）トランスポート・ストリームを復号してプログラム仕様情報を取得するステップと、
（Ａ３）受信チャンネルを初期設定値にリセットするステップと、
（Ａ４）その受信チャンネルの映像信号を復号し、少なくとも１フレームの映像信号を映像信号メモリ部に格納するステップと、
（Ａ５）受信チャンネルが最大または最小ではない場合に、受信チャンネル番号を１増加または減少させてステップ（Ａ４）の処理を繰り返すステップと、
（Ａ６）受信チャンネルが最大または最小である場合に、受信チャンネルを最小または最大の番号にリセットするステップと、
（Ａ７）伝送チャンネル番号が最大または最小ではない場合に、伝送チャンネル番号を１増加または減少させてステップ（Ａ２）以降の処理を繰り返すステップと、
（Ａ８）伝送チャンネル番号が最大または最小である場合に、伝送チャンネル番号を最小または最大にリセットしてステップ（Ａ２）以降の処理を繰り返すステップ
を有することを特徴とする請求項７に記載のデジタル放送受信装置の受信方法。
【請求項９】
前記ステップ（Ｂ）は、さらに、
（Ｂ１）受信チャンネルを検索するか、あるいは、直接に受信チャンネルを設定するかを判断するステップと、
（Ｂ２）使用者に指定された受信チャンネルの映像信号を映像信号メモリ部から読み出して画面表示させるステップと、
（Ｂ３）次の受信チャンネルの映像信号を画面表示させる場合に、受信チャンネル番号を１増加させた映像信号を映像信号メモリ部から読み出して画面表示させる処理を繰り返すステップと、
（Ｂ４）次の受信チャンネルの映像信号を画面表示させない場合に、現在画面表示されている映像の受信チャンネル番号に基づいて、受信チャンネルを設定して表示出力するステップ
を有することを特徴とする請求項７に記載のデジタル放送受信装置の受信方法。
【請求項１０】
デジタル放送受信装置が、映像信号メモリ部から読み出した各受信チャンネルの映像信号をマルチ画面表示できる場合、
前記ステップ（Ｂ１）の後に、
（Ｂ５）１画面表示で検索するかマルチ画面表示で検索するかを判断するステップと、
（Ｂ６）マルチ画面表示で検索する場合、使用者に指定されたマルチ画面の受信チャンネルの映像信号を映像信号メモリ部から読み出して画面表示させるステップと、
（Ｂ７）次のマルチ画面を画面表示させる場合に、マルチ画面の番号を１増加させ、そのマルチ画面に表示される受信チャンネルの映像信号を映像信号メモリ部から読み出して画面表示させる処理を繰り返すステップと、
（Ｂ８）次のマルチ画面を画面表示させない場合に、現在画面表示されているマルチ画面から選択された映像の受信チャンネル番号に基づいて、受信チャンネルを設定して表示出力するステップ
を有することを特徴とする請求項７に記載のデジタル放送受信装置の受信方法。
【請求項１１】
デジタル放送受信装置に、次の伝送チャンネルを設定する処理用に受信チャンネルを順次設定する期間を計時するタイマを備える場合、
（Ａ９）ステップ（Ａ１）の後に、タイマによる計時を開始するステップと、
（Ａ１０）ステップ（Ａ７）の処理時に、タイマによる計時がタイムアウトしていない場合にステップ（Ａ８）に進み、タイムアウトした場合にはステップ（Ａ４）の処理を繰り返すステップ
を有し、
ステップ（Ａ５）の処理において、チャンネル番号を１増加または減少させた後にステップ（Ａ４）の処理に進まず、ステップ（Ａ１０）の処理に進む
ことを特徴とする請求項７に記載のデジタル放送受信装置の受信方法。
【請求項１２】
ステップ（Ａ）のデジタル放送の受信が選択されていない場合は、
デジタル放送受信装置において、
受信信号を復号して映像信号メモリ部に格納する処理に関係しない部分がスタンバイ状態または通電されていない場合、他の方式の放送が受信されている場合、および、受信信号を復号して映像信号メモリ部に格納する処理に関係しない部分を利用して調整処理が実施される場合
を含むことを特徴とする請求項７〜１１の何れかに記載のデジタル放送受信装置の受信方法。
【発明の詳細な説明】
【０００１】
【発明の属する技術分野】
本発明は、ＭＰＥＧ方式で圧縮された信号を、放送衛星や地上波、あるいは、ケーブルを利用するケーブルテレビ（以下、ＣＡＴＶと記す）を利用してデジタル伝送された放送を受信するデジタル放送受信装置に関するものである。
【０００２】
【従来の技術】
【０００３】
ＭＰＥＧ２方式を使ったデジタル放送受信装置の使用者（視聴者）が受信チャンネルを切り替えた場合に、受信信号を直ちに復号化し、すばやく表示できないという問題がある。これは、ＭＰＥＧ２方式では差分情報（Ｐフレーム、Ｂフレームのデータ）のみからでは映像信号の複号ができないことから、チャンネルを切り替えた後にＩフレームが入力されるまで待機しなければ受信チャンネルの内容を表示することができないためである（例えば、非特許文献１参照）。
【０００４】
これを解決するため、例えば、複数のチューナを設け、複数の受信チャンネルについての受信が可能なように構成されたものが知られている。そのようなデジタル放送受信装置では、複数のチューナの何れかに表示する受信チャンネルを指定し、他のチューナにそれぞれ次に表示される候補の受信チャンネルを指定し、その指定情報が保持される。次に表示される候補の受信チャンネルは、予め設定された手順に従って自動的に決定される。各チューナにより受信された受信チャンネルのデータは、表示するように指定された受信チャンネルのデータが表示され、次に表示される候補の受信チャンネルのデータは保存される。（例えば、特許文献１参照）
【０００５】
【非特許文献１】
藤原洋監修、マルチメディア通信研究会編、「最新ＭＰＥＧ教科書」アスキー出版局、１９９４年８月１日、ｐ１００〜１０２、ｐ１３７〜１４２
【特許文献１】
特開２０００−１０１４６７号公報（図１、図８）
【０００６】
【発明が解決しようとする課題】
しかしながら、特許文献１のデジタル放送受信装置では、現時点で視聴（受信選択し表示）するために１系統のチューナ（１チャンネル分の受信が可能）を使用し、他の２系統のチューナ（２チャンネル分の受信が可能）を選択されていない他のチャンネルの受信に使用するという構成であるので、その時点で表示されているチャンネルの次に選択されたチャンネルをすばやく表示することができる場合は、残り２系統のチューナが予測して受信している候補のチャンネルである場合のみである。
逆に言えば、特許文献１のデジタル放送受信装置は、使用者が次に選択するチャンネルが、残り２系統のチューナが予測して受信している候補のチャンネルではない場合には、結局、番組を切り替えて表示する毎にＩフレームが入力されるまで待機しなければ番組内容を表示できない。つまり、特許文献１のデジタル放送受信装置では、次に使用者に選択される表示予測がはずれた場合には、公報のチャンネルは無駄になり、結局、すばやく表示できないことになり問題を解決できない。
【０００７】
より具体的に、例えば、従来のデジタル放送受信装置では、使用者が現在放送中の番組内容を検索するために受信チャンネルの順送り（以下、ザッピングと記載）をする場合、受信チャンネルの復調等を素早く切り替えても、結局Ｉフレームが入力されるまでは表示できないので待機することになってしまう。従って、従来のデジタル放送受信装置では、素早いザッピングはできず、全番組の一巡表示検索あるいは特定番組から一巡表示検索を実施しようとすると、多くの時間が必要になるという問題点があった。
【０００８】
本発明は、上述した問題点を解消するためになされたもので、使用者が電源投入後などに番組を検索（選局）する際、素早いザッピング処理が行えるデジタル放送受信装置を提供することを目的とする。
また、その番組検索の際に、１画面の中に各受信チャンネルの表示画面を縮小して複数表示（以下、マルチ画面表示と記載）し、番組の検索をさらに素早くできるデジタル放送受信装置を提供することを目的とする。
【０００９】
【課題を解決するための手段】
上述した目的を達成するため、本発明に係るデジタル放送受信装置は、設定された受信チャンネルの復号された映像信号から少なくとも１フレームの映像信号を格納する映像信号メモリ部と、該映像信号メモリへの映像信号の書き込みおよび読み出しを制御するメモリ制御部と、設定された受信チャンネルの復号された映像信号と映像信号メモリ部から読み出された映像信号を切り替えて出力する映像信号切替部と、デジタル放送番組の受信が使用者に選択されていない場合に、受信チャンネルを順次設定して、メモリ制御部を用いて受信チャンネル毎に映像信号を映像信号メモリ部に格納し、デジタル放送番組の受信が使用者に選択された場合に、メモリ制御部を用いて映像信号メモリ部に格納された映像信号を順次読み出して表示させることによりデジタル放送番組を使用者に選択させる受信装置制御部とを有している。
【００１０】
また、上述した目的を達成するため、本発明に係るデジタル放送受信装置の受信方法では、デジタル放送の復号された映像信号から少なくとも１フレームの映像信号を映像信号メモリ部に格納し、復号された映像信号と前記映像信号メモリ部から読み出された映像信号を切り替えて出力できるデジタル放送受信装置の受信方法であって、（Ａ）デジタル放送の受信が選択されていない場合に、伝送チャンネル中の複数の受信チャンネルの映像信号を復号し、各受信チャンネルの少なくとも１フレームの映像信号を映像信号メモリ部に格納するステップと、（Ｂ）ステップ（Ａ）の処理後、デジタル放送の受信が選択されて伝送チャンネルから受信チャンネルを検索する場合、前記映像信号メモリ部から読み出した映像信号を出力して検索するステップを有している。
【００１１】
【発明の実施の形態】
以下、本発明の実施の形態を図面に基づいて具体的に説明するが、それに先立ち、本発明を理解するために必要となる本発明で用いたデジタル放送の技術について簡単に説明する。
【００１２】
近年になり実用化されたデジタル放送では、そのデジタル圧縮のためにフレーム間予測符号化を取り入れたＭＰＥＧ２方式が採用されている。なお、ＭＰＥＧ２方式については、例えば、上記した非特許文献１に詳細が説明されている。このＭＰＥＧ２方式におけるフレーム間予測符号化には、差分符号化技術が使われている。この差分符号化技術について、動画像を例に説明する。
【００１３】
動画像は時間的に連続する静止画の集まりと見ることができる。実際、ある風景の中に、移動する人物などがあるような動画像においては、時間的に隣接する静止画像間では背景が余り変化せず、人物などが若干移動するだけのことが多い。したがって、この特徴を生かして、基本となる画像の情報とそれからの差分情報を送ることで全体としての画像情報の圧縮を図ることができるということが、差分符号化技術の基本的な考え方である。
【００１４】
ＭＰＥＧ２ビデオ符号化方式は基本となる画像（以下Ｉフレーム）に対してフレーム内符号化を行う。また、基本画像との差分をとる画像（ＰフレームまたはＢフレーム）に対してはフレーム間符号化を行う。フレーム間符号化では、符号化済みのＩフレームまたはＰフレームとの差分情報を元に符号化を行うのでフレーム内符号化に比べてデータ量が大きく縮小される。また、本発明にはほとんど関係しないため詳細の説明は省略するが、音声信号についても同様にＭＰＥＧ２オーディオ方式によりデータ圧縮処理がなされる。
【００１５】
以上のように、ＭＰＥＧ２方式で処理された映像信号と音声信号とからなる一連のデータより、１つの番組のトランスポート・ストリーム（以下ＴＳと称す）が構成される。そして、このＴＳには誤り訂正符号が付加され、１チャンネル〜数チャンネル分のＴＳから１つの伝送チャンネルが構成される。この伝送チャンネルはデジタル変調されて伝送あるいは放送される。
【００１６】
ＭＰＥＧ２方式で圧縮された信号を復号する従来のデジタル放送受信装置では、上記したように、結局Ｉフレームが入力されるまでは表示できないので、番組を選局するためにザッピングや一巡表示検索を実施しようとしても多くの時間が必要になる。しかし、この問題は放送局側でも認識しており、この問題を解消するために、放送局側では、「適当な時間毎」（明確な規定があるわけではないが、通常０．５秒程度毎）にＩフレームの更新、送出を行うようにしている。しかしながら、それでも、最長で前記「適当な時間（通常０．５秒程度）」分は正常に復号化できない時間が残ることになる。
【００１７】
したがって、ＭＰＥＧ２方式を使ったデジタル放送受信機では、受信チャンネル（番組）を切り替え表示する毎に、Ｉフレームが入力されるまでの時間、例えば、最大０．５秒程度だけ待機する必要があり、その時間経過後でなければ番組内容を表示することができなかった。切り替える度に最大で０．５秒程度の待機時間が発生することは、デジタル放送のようにチャンネル数が多い場合には、使用者にとってザッピングや一巡表示検索が苦痛を与えることになる。本発明は、このような状況を改善するために、デジタル放送受信装置で番組を選局する際に素早くザッピング処理等ができるようにしたものである。
【００１８】
実施の形態１．
図１は本発明の実施の形態１のデジタル放送受信装置のブロック図である。
【００１９】
図１のデジタル放送受信装置１は、衛星デジタル放送用あるいは地上波デジタル放送用のアンテナ２で受信されたデジタル放送信号が入力され、復号され、さらにアナログ信号に変換された音声信号がスピーカ等の音声出力部３に出力され、同様に復号されてアナログ変換された映像信号が陰極線管（以下、ＣＲＴと記載）、液晶表示装置、あるいは、プラズマ表示装置等の映像出力部４に出力される。なお、衛星デジタル放送の信号は、アンテナ２で周波数がダウンコンバートされてからデジタル放送受信装置１に入力される。
【００２０】
デジタル放送受信装置１の内部において、チューナ・復調部１１は、アンテナ２から入力するデジタル放送の受信信号から、受信する伝送チャンネルの周波数を検波し復調する。さらに、その受信信号に対して誤り訂正、復号などを行い、この伝送チャンネル内に含まれる複数の放送チャンネル分のデータ列が多重化されたトランスポート・ストリーム（以下、ＴＳと記載）から、使用者の希望する放送のチャンネル（以下、受信チャンネルと記載）のＴＳを抽出し、後述するデ・マルチプレクサ部１２に出力する。
【００２１】
デ・マルチプレクサ部１２は、使用者の選局操作により後述する受信装置制御部２０で生成された番組選択制御信号により、受信チャンネルのＴＳからプログラム仕様情報（以下、ＰＳＩと記載）を取り出し、そのＰＳＩに基づき、受信チャンネルのＴＳから使用者が希望する番組の映像データと音声データを抽出し、後述する映像信号デコーダ部１５及び音声信号デコーダ部１３にそれぞれ出力する。
【００２２】
音声信号デコーダ部１３は、符号化されるときにデジタル的に圧縮されている音声データを復号してデジタル音声信号を得る。音声信号Ｄ／Ａ変換部１４は、デジタル音声信号をアナログ音声信号に変換し、デジタル放送受信装置１の外部の音声出力部３内のスピーカなどを駆動するオーディオアンプ（図示せず）に出力する。
【００２３】
映像信号デコーダ部１５は、符号化されるときにデジタル的に圧縮されている映像データを復号してデジタル映像信号を得る。映像信号Ｄ／Ａ変換部１６は、デジタル映像信号をアナログ映像信号に変換し、デジタル放送受信装置１の外部の映像出力部４内のＣＲＴなどの表示装置（図示せず）に出力する。
【００２４】
上記のように、映像信号は、デ・マルチプレクサ部１２でＴＳから抽出され、映像信号デコーダ部１５で復号される。一方、音声信号は、デ・マルチプレクサ部１２でＴＳから抽出され、音声信号デコーダ部１３で復号される。
【００２５】
電源制御部１７は、不図示の電源スイッチのオン／オフ操作、あるいは、不図示のタイマー等による通常モードからスタンバイモードあるいは省エネルギーモードへの移行、逆に、不図示の入力部等へチャンネル選択操作等によるスタンバイモードあるいは省エネルギーモードから通常モードへの移行、等によりデジタル放送受信装置１内の各部への電源供給を制御する。
【００２６】
受信装置制御部２０は、例えば、ＣＰＵ（中央演算処理装置）などにより構成され、デジタル映像信号およびデジタル音声信号の受信に関わる復調および復号等の一連の処理を制御する。なお、図１ではアンテナ２から入力したデジタル放送を受信する場合を示しているが、デジタル放送受信装置１は、例えば、入力信号がデジタル形式の有線放送（ＣＡＴＶ）の場合には、ケーブルを介して受信したデジタル信号に上記と同様の処理を施して音声出力部３および映像出力部４へ出力するように構成しても良い。
【００２７】
メモリ制御部３１は、受信装置制御部２０からの制御信号により、後述する映像信号メモリ部３２のデータの格納、読み出しに関する一連の制御を行う。使用者がデジタル放送の受信を選択していない時に、復号された映像データを各受信チャンネルに対して所定の画面分づつ格納する。また、使用者が受信チャンネルの検索処理を希望する場合、メモリ制御部３１は、映像信号メモリ部３２内に格納されている各受信チャンネルの映像データを読み出し、受信チャンネルの検索処理用に出力する。
【００２８】
映像信号メモリ部３２は、メモリ制御部３１の制御により、映像信号デコーダ部１５の出力である映像データを各受信チャンネルに対して所定の画面分づつ格納する処理、および、格納されている各受信チャンネルの映像データを読み出して出力する処理を行う。
【００２９】
メモリ制御部３１は、検索処理として使用者が１チャンネル毎の画面を確認するザッピングを希望する場合には、映像信号メモリ部３２に格納されている使用者が指定した受信チャンネルの映像データを読み出し出力する。また、メモリ制御部３１は、使用者が各受信チャンネル一覧のマルチ表示を希望する場合、映像信号メモリ部３２に格納されている各受信チャンネルの映像データを、画素間引き等の読み出し処理を行いつつ、画面分割された各領域へ順次読み出すことにより、使用者が指定した各受信チャンネル一覧のマルチ表示の画面を出力する。
【００３０】
映像信号切替部３３は、使用者がザッピング処理、あるいは各受信チャンネル一覧のマルチ表示を希望する場合、受信装置制御部２０からの制御信号により、映像信号メモリ部３２の出力と映像信号デコーダ部１５の出力とを選択して出力する。
【００３１】
また、受信装置制御部２０は、図示しない入力装置等からの入力により、使用者がデジタル放送の受信を選択していない状態、すなわち、主電源ＯＦＦ状態やリモコンからの電源オン信号受信を待機している状態（以下スタンバイ状態と記載）やアナログ放送など別の放送方式で伝送される番組を受信している状態かどうか等のデジタル放送視聴状況（受信選択状況）を判断する。
【００３２】
そして、受信装置制御部２０は、使用者がデジタル放送の受信を選択していない期間には、電源制御部１７を制御して、少なくともアンテナ２、チューナ・復調部１１、デ・マルチプレクサ部１２、映像信号デコーダ部１５、メモリ制御部３１、および、映像信号メモリ部３２には電源電力を供給する。
【００３３】
それと共に、受信装置制御部２０は、チューナ・復調部１１およびデ・マルチプレクサ部１２を制御して、例えば、受信チャンネル毎に上記した映像データを各受信チャンネルに対して所定の画面分づつ格納する処理が終了したことを検出し、１つの受信チャンネルにおける処理が終了したら受信チャンネルを切り替えるようにして、現在放送されている全ての受信チャンネルあるいは特定の指定された受信チャンネルを伝送チャンネルから選択する。従って、その受信チャンネルの選択のために、伝送チャンネルは一定期間選択される。
【００３４】
受信装置制御部２０は、１つの伝送チャンネルにおける全受信チャンネルあるいは指定受信チャンネルの記憶処理が終了した場合、それまでに選択されていない伝送チャンネルを次の伝送チャンネルとして選択する。さらに、指定したすべての伝送チャンネルで上記記憶処理が終了した場合、受信装置制御部２０は、再び最初の伝送チャンネルに戻って上記記憶処理を繰り返す。受信装置制御部２０は、以後、同様にチューナ・復調部１１等を制御して、伝送チャンネルを巡回し、メモリ制御部３１を制御して上記記憶処理を繰り返す。
【００３５】
本実施の形態では、デ・マルチプレクサ部１２でＴＳから抽出され、映像信号デコーダ部１５で復号された映像信号は、直接に映像信号Ｄ／Ａ変換部１６には入力されず、映像信号切替部３３を経由することにより、使用者がデジタル放送を視聴している場合のみに、映像信号Ｄ／Ａ変換部１６に入力される。
【００３６】
また、本実施の形態における映像信号デコーダ部１５よりも前段に位置する各部（各回路）は、使用者がデジタル放送の受信を選択（視聴）している場合のみでなく、例えば、使用者がデジタル放送の受信を選択していないスタンバイ状態や別の放送方式の番組を受信している状態でも動作している。そのため、本実施の形態では、デジタル放送の受信を使用者が選択していない場合でも、各伝送チャンネルおよび各受信チャンネルを巡回しながら、各受信チャンネル（番組）の映像データを所定の画面分づつ格納することができる。
【００３７】
また、本実施の形態の受信装置制御部２０は、使用者の選択内容がザッピングによる番組検索か、マルチ画面による番組検索か、リアルタイムの受信画面表示の何れであるかと、検出されたデジタル放送の状況に基づき、制御映像信号Ｄ／Ａ変換部１６に入力される信号を、映像信号切替部３３で切りかえる。
【００３８】
以下、本実施の形態における全受信チャンネル、あるいは、指定番組の映像データの記憶処理動作について説明する。
【００３９】
図２は、受信装置制御部２０により、受信する伝送チャンネルおよび受信するチャンネルを切り替え、所定の画面分づつ各受信チャンネル（または指定された番組）のデジタル映像信号（以下、番組検索用画面信号と記載）を映像信号メモリ部３２に格納する制御手順を示すフローチャートである。
【００４０】
まず、受信装置制御部２０は、不図示の入力装置からの入力内容等により、使用者によりデジタル放送の受信が選択されているか否かを判断する（Ｓ１）。デジタル放送の受信が選択されている場合（Ｓ１：ＹＥＳ）には、受信装置制御部２０は、図５に示した番組検索のフローチャートのステップＳ４１に進む。デジタル放送の受信が選択されていない場合（Ｓ１：ＮＯ）には、伝送チャンネル番号を所定の番号（例えば、初期値）にリセットする（Ｓ２）。
【００４１】
ここで、伝送チャンネル番号と、受信チャンネル（番組）の関係について説明する。図３（ａ）は、伝送チャンネル番号の一例であり、図３（ｂ）は、伝送チャンネルが１の場合の受信チャンネル（番組）の一例であり、図３（ｃ）は、伝送チャンネルが３の場合の受信チャンネル（番組）の一例である。
【００４２】
図３（ａ）には、伝送チャンネル番号（Ｎ）が１の伝送チャンネルと、伝送チャンネル番号（Ｎ）が３の伝送チャンネルが使用され、伝送チャンネル番号（Ｎ）が２以上は使用されていないことが示されている（Ｎｍａｘ＝１）。
【００４３】
図３（ｂ）には、伝送チャンネルが１の場合で受信チャンネル（番組）番号（ＮＰ）が０の受信チャンネル（番組）がＡ１（ａ１）であり、ＮＰが１の受信チャンネル（番組）がＡ３（ａ３）であり、ＮＰが２の受信チャンネル（番組）がＢ１（ｂ１）であり、ＮＰが３の受信チャンネル（番組）がＢ２（ｂ２）であり、ＮＰが４の受信チャンネル（番組）がＢ３（ｂ３）であり、ＮＰが５以上の受信チャンネル（番組）は０で使用されていないことが示されている（ＮＰｍａｘ＝４）。
【００４４】
図３（ｃ）には、伝送チャンネルが３の場合で受信チャンネル（番組）番号（ＮＰ）が０の受信チャンネル（番組）がＨ１（ｈ１）であり、ＮＰが１の受信チャンネル（番組）がＨ３（ｈ３）であり、ＮＰが２以上の受信チャンネル（番組）は０で使用されていないことが示されている（ＮＰｍａｘ＝１）。
【００４５】
ステップＳ２で初期値にリセットする場合とは、例えば、図３（ａ）の場合、伝送チャンネル番号（Ｎ）を０にして伝送チャンネルを１にする場合である。
【００４６】
つまり、最初に伝送チャンネル番号（Ｎ）がリセットされる場合（Ｓ２）には、受信装置制御部２０は、チューナ・復調部１１等を制御して、図３（ａ）に示した伝送チャンネル番号表から伝送チャンネル番号（Ｎ）＝０に対応付けられている伝送チャンネル１を選択する。
【００４７】
受信装置制御部２０は、伝送チャンネル１の放送を受信し、デジタル復調すると共に、誤り訂正、復号を行い、複数の受信チャンネル（番組）が多重化されたＴＳから、受信チャンネル（番組）ごとのＴＳを抽出し、各受信チャンネル毎のプログラム仕様情報（以下、ＰＳＩと記載）を取得する（Ｓ３）。
【００４８】
次に、受信装置制御部２０は、チューナ・復調部１１等を制御して、受信チャンネル（番組）番号（ＮＰ）をリセットする（Ｓ４）。例えば、この場合、図３（ｂ）に示す受信チャンネル（番組）番号表では、受信チャンネル（番組）番号（ＮＰ）＝０の場合には、受信チャンネルＡ１（番組ａ１）が対応付けられているので、受信チャンネルＡ１（番組ａ１）を選択する。
【００４９】
なお、伝送チャンネル番号Ｎ＝０に対応する伝送チャンネル１からは、図３（ｂ）に示すように、Ａ１、Ａ３、Ｂ１、Ｂ２およびＢ３の５つの受信チャンネル（番組）が指定されているので、受信チャンネル（番組）番号の最大値は、ＮＰｍａｘ＝４である。
【００５０】
受信装置制御部２０は、デ・マルチプレクサ部１２により、受信チャンネル（番組）番号ＮＰ＝０から得られる受信チャンネルＡ１（番組ａ１）を選択する旨の信号｛以下、チャンネルＡ１選択信号と記載。同様に、受信チャンネルＡ３、Ｂ１、…等の受信チャンネルを選択する旨の信号についても同様に記載｝およびＰＳＩに基づいて、ＴＳからデジタル圧縮されている受信チャンネルＡ１（番組ａ１）の映像データが抽出される。
【００５１】
受信装置制御部２０は、映像信号デコーダ部１５により、抽出された受信チャンネルＡ１（番組ａ１）の映像データを復号し（Ｓ５）、その復号した映像データを、映像信号メモリ部３２に、受信チャンネルＡ１（番組ａ１）の番組検索用画面信号として格納する（Ｓ６）。
【００５２】
次に、受信装置制御部２０は、受信チャンネルの番号が最大か否かを判断する（Ｓ７）。受信チャンネルの番号が最大でない場合（Ｓ７：ＮＯ）には、受信チャンネル番号を１増加（加算）し（Ｓ８）、そのチャンネル番号を新たな受信チャンネル（番組）番号ＮＰ（＝１）としてステップＳ５以降の処理を繰り返す。
【００５３】
なお、受信チャンネル番号が最大か否かの判断は、例えば、受信チャンネル番号ＮＰ（＝０）と受信チャンネル番号の最大値ＮＰｍａｘ＝４を比較することで判断される。また、受信チャンネル番号ＮＰのリセットは、例えば、ＮＰの値を０にすることである。
【００５４】
つまり、受信装置制御部２０は、図３（ｂ）に示した伝送チャンネルが１の場合の、受信チャンネルＡ１（番組ａ１）に続いて、受信チャンネルＡ３、Ｂ１〜Ｂ３（番組ａ１、ｂ１〜ｂ３）の復号した映像データを、映像信号メモリ部３２に、番組検索用画面信号として格納する。
【００５５】
受信チャンネルの番号が最大である場合（Ｓ７：ＹＥＳ）、つまり、受信チャンネル番号ＮＰ＝４になった場合には、受信装置制御部２０は、チューナ・復調部１１等を制御して、受信チャンネル（番組）番号（ＮＰ）をリセットし（Ｓ９）、伝送チャンネルの番号が最大か否かを判断する（Ｓ１０）。伝送チャンネルの番号が最大でない場合（Ｓ１０：ＮＯ）には、伝送チャンネル番号を１増加（加算）し（Ｓ１１）、そのチャンネル番号を新たな伝送チャンネル番号Ｎ（＝１）としてステップＳ３以降の処理を繰り返す。
【００５６】
なお、伝送チャンネル番号が最大か否かの判断は、例えば、伝送チャンネル番号Ｎ（＝０）と伝送チャンネル番号の最大値Ｎｍａｘ＝１を比較することで判断される。また、伝送チャンネル番号Ｎのリセットは、例えば、Ｎの値を０にすることである。
【００５７】
つまり、受信装置制御部２０は、図３（ｃ）に示した伝送チャンネルが３の場合の、受信チャンネルＨ１（番組ｈ１）、受信チャンネルＨ３（番組ｈ３）の復号した映像データを、映像信号メモリ部３２に、番組検索用画面信号として格納する。
【００５８】
伝送チャンネルの番号が最大である場合（Ｓ１０：ＹＥＳ）には、受信装置制御部２０は、ステップＳ２に戻って伝送チャンネルをリセットしてから、ステップＳ３以降の処理を繰り返す。つまり、映像信号メモリ部３２に格納される番組検索用画面信号は、最新データになるように巡回的に常時更新される。
【００５９】
なお、図４は、映像信号メモリ部３２に番組検索用画面信号を格納（記憶）する場合の一例を示した図であり、図４に示すように映像信号メモリ部３２内のフレーム番号（０〜１０等）に対応するアドレスに番組ａ１から番組ｈ３の番組検索用画面信号が格納される。フレーム番号等の各番組検索用画面信号に付与する識別符号は、映像信号メモリ部３２内の読み出し開始アドレスに対応させて格納しておくことで、後で目的の番組のフレームを読み出すことが可能になる。また、格納する番組毎のフレーム数は、１フレームの静止画再生に限らず、例えば、複数のフレームを格納しておき、読み出し時には、複数フレームを連続して読み出すことにより短時間の動画再生を実施しても良い。
【００６０】
次に、映像信号メモリ部３２に格納した番組検索用画面信号を読み出す場合の動作を説明する。
【００６１】
図５は、受信装置制御部２０により、映像信号メモリ部３２から各受信チャンネル（または指定された番組）の番組検索用画面信号を読み出して表示する制御手順を示すフローチャートである。
【００６２】
受信装置制御部２０は、不図示の入力装置からの入力信号から、使用者が受信チャンネル（番組）を検索するか否かを判断する（Ｓ４１）。この判断は、例えば、電源投入時、または、デジタル放送以外の放送からデジタル放送に切り替える時に実施する。受信チャンネル（番組）を検索する場合（Ｓ４１：ＹＥＳ）には、次に、その検索を１番組１画面のザッピングで行うか、多番組１画面のマルチ画面表示で行うかを判断する（Ｓ４２）。
【００６３】
受信チャンネル（番組）を検索しない場合（Ｓ４１：ＮＯ）は、使用者がすでに選択するチャンネルを決定した場合であるので、受信装置制御部２０は、チューナ・復調部１１等を制御して、直接に使用者により選択された受信チャンネルを設定し（Ｓ５０）、復号および番組表示等を行う（Ｓ５１）。また、ステップＳ５０では、選択された受信チャンネルを設定する際に、受信装置の初期設定として格納された選択結果を用いるようにしても良い。
【００６４】
使用者が、番組検索で、マルチ画面表示ではなくザッピングを選択する場合（Ｓ４２：ＮＯ）には、受信装置制御部２０は、指定された受信チャンネルを１画面表示し（Ｓ４３）、次の受信チャンネルを表示するか否かを判断する（Ｓ４４）。次の受信チャンネルを表示する場合（Ｓ４４：ＹＥＳ）には、受信チャンネル番号を１増加（加算）し（Ｓ４５）、そのチャンネル番号を新たな受信チャンネル（番組）番号ＮＰ（＝１）としてステップＳ４３以降の処理を繰り返す。
【００６５】
次の受信チャンネルを表示しない場合（Ｓ４４：ＮＯ）は、使用者がすでに選択するチャンネルを決定した場合であるので、受信装置制御部２０は、チューナ・復調部１１等を制御して、直接に使用者により選択された受信チャンネルを設定する（Ｓ５０）。なお、ステップＳ４３では、ザッピングを実施する代わりに、デジタル放送受信装置の初期設定として格納された表示方法を用いるようにしても良い。
【００６６】
一方、使用者が、番組検索で、ザッピングではなくマルチ画面表示を選択する場合（Ｓ４２：ＹＥＳ）には、受信装置制御部２０は、指定された受信チャンネルを含む複数の受信チャンネル（番組列）の番組検索用画面信号を、メモリ制御部３１から、一つの表示画面内に縮小画面分割された各領域へ順次読み出すことで、複数画面からなるマルチ画面を表示し（Ｓ４６）、その後、次のマルチ画面を表示するか否かを判断する（Ｓ４７）。次のマルチ画面を表示する場合（Ｓ４７：ＹＥＳ）には、マルチ画面番号を１増加（加算）し（Ｓ４８）、そのマルチ画面番号でステップＳ４６以降の処理を繰り返す。なお、マルチ画面番号とは、例えば、複数の受信チャンネルの画面からなるマルチ画面に対して、昇順あるいは降順に付与される番号である。
【００６７】
次のマルチ画面を表示しない場合（Ｓ４７：ＮＯ）は、使用者がすでに選択するチャンネルを決定した場合であるので、受信装置制御部２０は、マルチ画面から受信チャンネルを選択する（Ｓ４９）と共に、チューナ・復調部１１等を制御して、直接に使用者により選択された受信チャンネルを設定する（Ｓ５０）。
【００６８】
受信装置制御部２０は、映像信号切替部３３を切り替えて、映像信号デコーダ部１５から出力される設定された受信チャンネルの画像データをＤ／Ａ変換して映像出力部４に表示出力する（Ｓ５１）。
【００６９】
なお、図６は、映像信号メモリ部３２から読み出した番組検索用画面信号をマルチ画面表示する場合の一例を示した図であり、図６では、映像出力部４の表示面が縦に３等分および横に３等分された９分割画面になっており、図４の信号メモリ部３２内の各フレーム番号（０〜１０等）に対応する番組ａ１から番組ｈ３の番組検索用画面信号が、その順番に個々に縮小画面として表示される。
【００７０】
つまり、図６の場合は、９個の受信チャンネル（番組）を１画面内に一覧表示する場合であり、映像信号メモリ部３２内に格納されている番組検索用画面信号を、例えば、水平方向および垂直方向に１／３に間引くことにより縮小し、９画面分割表示された画面に各信号を割り当てて表示したマルチ画面を示している。
【００７１】
また、例えば、上記したように使用者によりザッピングまたはマルチ画面表示を参照することで希望の番組が選択された場合に、チューナ・復調部１１において受信した映像データが、デ・マルチプレクサ部１２で圧縮が解除され、映像信号デコーダ部１５で復号されてデジタル映像信号が得られるようになった時点で、受信装置制御部２０により映像信号切替部３３を映像信号メモリ部３２の出力側から映像信号デコーダ部１５の出力側に自動で切りかえるようにすることで、スムーズな番組選択動作が実現することができる。
【００７２】
なお、各受信チャンネルの切替は、結果的に、番組を切りかえることと等価である。したがって、受信チャンネルの切り替え動作により、受信される番組の列（番組列）を制御することができる。
【００７３】
また、本実施の形態では、現在放送されているデジタル放送の中から指定された伝送チャンネルおよび受信チャンネル（番組）を一巡して番組列を構成し、その番組の番組検索用画面信号を映像信号メモリ部３２に順次格納するようにしているが、例えば、図３（ａ）に示した各伝送チャンネルおよび図３（ｂ）、（ｃ）に示した各受信チャンネルから指定したチャンネルのみを巡回するように設定しても良い。
【００７４】
このように、本実施の形態では、使用者がデジタル放送の受信を選択していない期間を利用して、指定された受信チャンネルの少なくとも１フレーム以上の所定の画面数のデジタル映像信号を番組検索用画面信号として映像信号メモリ部３２に格納し、次にデジタル放送の受信を選択する場合で番組検索する場合には、映像信号メモリ部３２から読み出した各受信チャンネルの番組検索用画面信号を映像出力部に表示するので、ザッピング表示をすばやく実施することができ、検索時間を短縮することができる。また、その番組検索の際に、１画面の中に各受信チャンネルの表示画面を縮小して複数表示するマルチ画面表示が可能であるので、番組の検索をさらに素早くできる
【００７５】
また、本実施の形態では、使用者がデジタル放送の受信を選択していない期間を利用して全チャンネル、または指定したチャンネルの番組の映像データを格納するので、上記した特許文献１のように複数のチューナ等を必要とせず、チューナ・復調部１１、デ・マルチプレクサ部１２、映像信号デコーダ部１５、音声信号デコーダ部１３はそれぞれ１系統のみ備えれば十分である。また、本実施の形態で追加される回路は、メモリ制御部３１、映像信号メモリ部３２および映像信号切替部３３のみである。従って、本実施の形態では、複数のチューナ等を備える場合よりも部品および材料の増加を抑制することができる。
【００７６】
また、本実施の形態では、映像信号メモリ部３２に格納されている番組検索用画面信号が、常に新しい画面に更新されるため、デジタル放送の番組を検索する際に、結果としてより最新の受信内容の番組で素早いザッピング処理、または、マルチ画面を表示することができる。
【００７７】
実施の形態２．
図７は本発明の実施の形態２のデジタル放送受信装置のブロック図である。
図７に示した本実施の形態のデジタル放送受信装置が、図１に示した実施の形態１のデジタル放送受信装置と構成上で異なる点は、受信装置制御部２０の内部に、複数の伝送チャンネルから受信チャンネルの映像データを取得する場合に、各伝送チャンネル毎の各受信チャンネルの巡回時間を計時するタイマ２１を設けた点である。本実施の形態の他の構成は、実施の形態１と同様である。
【００７８】
図８は、図７の受信装置制御部２０により、受信する伝送チャンネルおよび受信するチャンネルを切り替え、所定の画面分づつ各受信チャンネル（または指定された番組）の番組検索用画面信号を映像信号メモリ部３２に格納する制御手順を示すフローチャートである。
【００７９】
図８のフローチャートが、図２に示した実施の形態１のデジタル放送受信装置の制御手順と異なる点は、以下の各点である。
（１）ステップＳ２２で伝送チャンネル番号をリセットした後に、タイマ２１による計時を開始するステップＳ２３を有する点。
【００８０】
（２）ステップＳ２９で受信チャンネル番号を１増加させた後に、ステップＳ３１でタイマ２１がタイムアウトしていないこと（Ｓ３１：ＮＯ）を確認してから、ステップＳ２６の次の受信チャンネルの映像信号を復号する処理に戻り、タイマ２１がタイムアウトした場合（Ｓ３１：ＹＥＳ）には、ステップＳ２６には戻らず次の伝送チャンネル番号にシフトする点。
【００８１】
（３）ステップＳ３０で受信チャンネル番号をリセットした後に、ステップＳ３１でタイマ２１がタイムアウトしていること（Ｓ３１：ＹＥＳ）を確認してから、次の伝送チャンネル番号にシフトするステップＳ３１およびＳ３２を実施し、タイマ２１がタイムアウトしていない場合（Ｓ３１：ＮＯ）には、ステップＳ２６の次の受信チャンネルの映像信号を復号する処理を繰り返す点。
【００８２】
つまり、本実施の形態では、タイマ２１のタイムアウトが発生しない限り、１つの伝送チャンネルにおける各受信チャンネルを巡回して、各受信チャンネルに対応する番組検索用画面信号を映像信号メモリ部３２に格納する処理を繰り返すことになる。
【００８３】
逆に本実施の形態では、タイムアウトが発生した場合には、その伝送チャンネル番号Ｎにおける各受信チャンネルを巡回して番組検索用画面信号を映像信号メモリ部３２に格納する処理が強制的に終了されて、次の伝送チャンネルにシフトすることになる。その他の制御手順は実施の形態１と同様であり、例えば、伝送チャンネル番号が最大の場合（Ｓ３２：ＹＥＳ）には、ステップＳ２２で伝送チャンネル番号をリセットしてから、ステップＳ２３でタイマ２１をスタートさせ、伝送チャンネル番号が最大ではない場合（Ｓ３２：ＮＯ）には、ステップＳ３３で伝送チャンネル番号を１増加させてから、ステップＳ２３でタイマ２１をスタートさせる。
【００８４】
本実施の形態では、以上のように、各伝送チャンネル毎にタイマ２１で計時を実施し、一定時間間隔で伝送チャンネルを切り替えながら、各伝送チャンネルの持ち時間内で各受信チャンネルを切り替え、タイムアウトが発生するまでは各受信チャンネルを巡回して番組検索用画像信号を蓄積し、タイムアウトが発生した時点で次の伝送チャンネルにシフトするようにして、映像信号メモリ部３２に格納される番組検索用画面信号の更新を順次行うようにしている。
【００８５】
また、タイマ２１は、受信チャンネルで少なくとも１フレームのＩフレームを映像信号メモリ部３２に格納するために使用することもできる。これは、上記したように、最長で前記「適当な時間（通常０．５秒程度）」分はＩフレームが入力されず、正常に復号化できない時間があると考えられるためである。例えば、ステップＳ２５の後にＩフレーム入力用のタイマ２１による計時を開始し、ステップＳ２７の後にＩフレーム入力用の計時がタイムアウトしたか否かを確認し、もし、タイムアウトしていなければ、ステップＳ２６に戻って映像信号を復号するようにすればよい。この場合のタイマ２１の設定は、例えば、各受信チャンネル毎に１秒〜２秒等にすれば良い。
【００８６】
このように、本実施の形態では、タイマによるタイムアウトを検出できるので、チューナ・復調部１１の受信チャンネル切り替えを一定時間間隔にでき、映像信号メモリ部３２に各受信チャンネル（番組）毎の番組検索用画面信号を格納させる一連の記憶動作をタイムアウトまで繰り返すので、例えば、最初の受信時には番組検索用画面信号を格納できなかった場合でも、次の受信時に格納することができ、番組検索用画面信号を格納する処理を安定して実施することができる。
【００８７】
実施の形態３．
図９は本発明の実施の形態３のアナログ／デジタル放送受信装置のブロック図である。
図９に示した本実施の形態のアナログ／デジタル放送受信装置が、図７に示した実施の形態２のデジタル放送受信装置と構成上で異なる点は、以下の各点である。
（４）アナログ放送を受信するために、アナログ放送受信回路６０を有している点。
【００８８】
（５）デジタル放送を受信する場合と、アナログ放送を受信する場合で、音声出力／映像出力および電源供給等を切り替える制御を行うために、アナログ／デジタル放送受信装置制御回路５０を有している点。
【００８９】
（６）デジタル放送受信回路４０内のデジタル放送受信制御部２０では、使用者がデジタル放送の受信を選択していない状態を判断せず、アナログ／デジタル放送受信装置制御回路５０が判断する。デジタル放送受信制御部２０は、アナログ／デジタル放送受信装置制御回路５０からの判別信号（デジタル放送視聴信号）により、デジタル放送視聴状況を判断し、使用者がデジタル放送の受信を選択していない期間を判断する。具体的には、デジタル放送受信制御部２０は、主電源ＯＦＦ状態やリモコンからの電源オン信号受信を待機している状態（以下スタンバイ状態と記載）やアナログ放送など別の放送方式で伝送される番組を受信している状態かどうかをデジタル放送視聴信号により判別する。
【００９０】
本実施の形態の他の構成は、実施の形態２と同様であり、本実施の形態のデジタル放送受信時の制御手順は、おおむね実施の形態２と同様であるが、アナログ放送の受信が使用者に選択されている時に、アナログ／デジタル放送受信装置制御回路５０からの指示により、デジタル放送の各伝送チャンネル毎に各受信チャンネルを巡回して、各受信チャンネルに対応する番組検索用画面信号を映像信号メモリ部３２に格納する処理を実施する点が特徴となる。
【００９１】
このように、本実施の形態では、アナログ放送の受信が使用者に選択されている時に、デジタル放送の各受信チャンネルに対応する番組検索用画面信号を格納するので、デジタル放送の受信が使用者に選択された時に、ザッピングあるいはマルチ画面をすばやく表示することができ、検索時間を短縮することができる。
【００９２】
なお、上記した実施の形態１、２では、１系統のデジタル放送受信回路を有するデジタル放送受信装置の場合を示し、実施の形態３では、各々独立したデジタル放送受信回路とアナログ放送受信回路を有するアナログ／デジタル放送受信装置の場合について説明したが、本発明はこれに限られるものではなく、例えば、衛星デジタル放送と地上波デジタル放送の複数回路を有する場合、あるいは、有線放送（ＣＡＴＶ）とデジタル放送の複数回路を有する場合にも、容易に適用することができる。
【００９３】
また、上記した各実施の形態では、チャンネルの初期設定値を最小値として昇順に最大値まで巡回するようにしているが、本発明はこれに限られるものではなく、例えば、逆にチャンネルの初期設定値を最大値として降順に最小値まで巡回しても良い。また、本発明では、巡回するチャンネルは、昇順あるいは降順の一方向に固定されている必要はなく、例えば、昇順と降順を繰り返すようにしても良い。
【００９４】
【発明の効果】
本発明は、以上説明したように、デジタル放送の受信が使用者に選択されていない時に、デジタル放送の各受信チャンネルに対応する番組検索用画面信号を格納しておき、デジタル放送の受信が使用者に選択された時に、ザッピングあるいはマルチ画面をすばやく表示することができるので、デジタル放送の受信チャンネル（番組）を検索する時間を短縮することができる。
【図面の簡単な説明】
【図１】本発明の実施の形態１のデジタル放送受信装置のブロック図である。
【図２】受信チャンネル（番組）の番組検索用画面信号を映像信号メモリ部に格納する実施の形態１の制御手順を示すフローチャートである。
【図３】（ａ）は伝送チャンネル番号の一例であり、（ｂ）は伝送チャンネルが１の場合の受信チャンネル（番組）の一例であり、（ｃ）は伝送チャンネルが３の場合の受信チャンネル（番組）の一例である。
【図４】映像信号メモリ部に番組検索用画面信号を格納する場合の一例を示した図である。
【図５】映像信号メモリ部から各受信チャンネル（番組）の番組検索用画面信号を読み出して表示する制御手順を示すフローチャートである。
【図６】映像信号メモリ部から読み出した番組検索用画面信号をマルチ画面表示する場合の一例を示した図である。
【図７】本発明の実施の形態２のデジタル放送受信装置のブロック図である。
【図８】受信チャンネル（番組）の番組検索用画面信号を映像信号メモリ部に格納する実施の形態２の制御手順を示すフローチャートである。
【図９】本発明の実施の形態３のアナログ／デジタル放送受信装置のブロック図である。
【符号の説明】
１　デジタル放送受信装置、　２　アンテナ、　３　音声出力部、　４　映像出力部、　１１　チューナ・復調部、　１２　デ・マルチプレクサ部、　１３　音声信号デコーダ部、　１４　音声信号Ｄ／Ａ変換部、　１５　映像信号デコーダ部、　１６　映像信号Ｄ／Ａ変換部、　１７　電源制御部、　２０　受信装置制御部（デジタル放送受信制御部）、　２１　タイマ、　３１　メモリ制御部、３２　映像信号メモリ部、　３３　映像信号切替部、　４０　デジタル放送受信回路、　５０　アナログ／デジタル放送受信装置制御回路、　６０　アナログ放送受信回路。
【図１】
2004128942.tif 000003
【図２】
2004128942.tif 000004
【図３】
2004128942.tif 000005
【図４】
2004128942.tif 000006
【図５】
2004128942.tif 000007
【図６】
2004128942.tif 000008
【図７】
2004128942.tif 000009
【図８】
2004128942.tif 000010
【図９】
2004128942.tif 000011